(57)【要約】【課題】簡単な接続操作により、表示装置に接続される端末装置を認識し、接続された端末装置毎の機能管理を行う。【解決手段】映像表示システム１は、第１端末装置２および該第１端末装置２よりも使用機能が制限される第２端末装置３との無線接続がそれぞれ可能な表示装置である。映像表示システム１は、画像を表示する表示投影部１６と、第１端末装置２および第２端末装置３を無線接続する通信部４と、第１端末装置２および前記第２端末装置３との無線接続を管理する制御部７および接続制御画像生成部１１とを備える。制御部７および接続制御画像生成部１１は、第１端末装置２から送信される映像表示システム１との無線接続が許可される第２端末装置３を指定する端末接続許可情報に基づいて、第２端末装置３と映像表示システム１とを接続する情報を含んだ端末接続用画像を生成する。表示投影部１６は、その端末接続用画像を表示する。【選択図】図１
2018139114.tif 000002
【特許請求の範囲】
【請求項１】
第１端末装置との通信および前記第１端末装置よりも使用機能が制限される第２端末装置との通信がそれぞれ可能な表示装置であって、
画像を表示する表示部と、
前記第１端末装置との通信および前記第２端末装置との通信が可能な通信部と、
制御部と、
を備え、
前記制御部は前記第１端末装置から送信される情報に基づいて前記表示部の画像表示を制御するものであり、
前記制御部による前記画像表示の制御状態には、
前記通信部が前記第１端末装置から前記表示部に表示するための画像の情報を受信し、前記制御部が前記第１端末装置から送信された該画像を前記表示部に表示するように制御する第1の制御状態と、
前記通信部が前記第１端末装置から前記表示装置と前記第２端末装置との無線接続を許可するための端末接続許可情報を受信し、前記制御部が、前記第２端末装置と前記表示装置との接続に用いる情報を含んだ端末接続用画像を生成し、生成した該端末接続用画像を前記表示部に表示するように制御する第２の制御状態がある、
ことを特徴とする表示装置。
【請求項２】
請求項１記載の表示装置において、
現在日時の情報を出力する時計部を有し、
前記制御部は、前記端末接続用画像を生成する際に、前記時計部から現在日時の情報を取得し、取得した前記現在日時の情報を前記端末接続用画像に付加する、
ことを特徴とする表示装置。
【請求項３】
請求項１記載の表示装置において、
前記制御部は、予め登録された無線接続を許可する前記第１端末装置を識別する識別情報と、外部から入力された前記第１端末装置に付与された識別情報とが一致した際に、前記第１端末装置の無線接続を許可する、
ことを特徴とする表示装置。
【請求項４】
請求項１記載の表示装置において、
前記制御部が生成する前記端末接続用画像は、ＱＲコードである、
ことを特徴とする表示装置。
【請求項５】
請求項４記載の表示装置において、
前記第２端末装置が許可されているステータスを示す動作許可情報を格納する情報格納部を有し、
前記制御部は、前記情報格納部に格納された前記動作許可情報と前記第２端末装置から送信される前記第２端末装置のステータスとを比較し、前記ステータスに、前記動作許可情報と合致しないステータスがある場合に、前記第２端末装置が前記動作許可情報に合致しない動作を行っていることを示す画像を生成し、
前記表示部は、前記動作許可情報に合致しない動作を行っていることを示す画像を表示する、
ことを特徴とする表示装置。
【請求項６】
請求項５記載の表示装置において、
前記情報格納部が格納する前記動作許可情報は、前記第１端末装置から送信される、
ことを特徴とする表示装置。
【発明の詳細な説明】
【技術分野】
【０００１】
本発明は、表示装置および表示方法に関し、特に、プロジェクタや液晶ディスプレイなどの表示装置と通信端末との接続に有効な技術に関する。
【背景技術】
【０００２】
表示装置の代表的なものとして、例えばプロジェクタがある。プロジェクタは、簡単に大画面の画像を投影することができるため、同じ画像を大勢の人々で一緒に見るケースで多く用いられている。例えば、会議室でのプレゼンテーションや学校などで行われる各種説明会などである。
【０００３】
近年のプロジェクタは、画質の向上がめざましく、フルハイビジョン相当の画質を有するものも珍しくない。高画質の画像を大画面で多くの人が視聴するためにプロジェクタは、最適な機器となった。
【０００４】
このようなプロジェクタの機能に、ＩＣＴ（Information and Communication Technology）技術が採用され、プロジェクタの使われ方に大きな変化が起こっている。一般に、プロジェクタへの映像入力装置は、パソコンを用いている。その接続方法は、有線で行うものが主であった。
【０００５】
しかし、スマートフォンやタブレットなどＰＤＡ（Personal Digital Assistant）の普及に伴い、該ＰＤＡを用いて、無線ＬＡＮ（Local Area Network）を代表とする無線方式によって接続方法する機会が多くなっている。
【０００６】
無線にて接続することのメリットは、ケーブルが届かない位置からプロジェクタに画像を送ることができること、複数の機器からの映像を時系列で表示する際に配線の接続を変える手間がなく、接続したい機器を通信によって選択するだけでよいこと、配線が大いに減ることなどが挙げられる。
【０００７】
なお、この種の画像表示装置の接続技術においては、例えばプロジェクタなどの画像表示装置にネットワーク接続を行うための手続きを容易化するものがある（例えば、特許文献１参照）。
【先行技術文献】
【特許文献】
【０００８】
【特許文献１】特開２００８−７７３８０号公報
【発明の概要】
【発明が解決しようとする課題】
【０００９】
上述したように、無線ＬＡＮなどの無線方式によって、画像入力装置である通信端末と画像表示装置との無線接続を確立するには、多少の経験と知識が必要であり、取り扱い説明書を見て実際に接続を試みても、簡単に接続できないケースがある。
【００１０】
さらに、会場外にあるスマートフォンやタブレットなどの無関係な通信端末と通信されてしまい、それらの通信端末などに意図せずに情報を送ってしまう危険性が生じてしまう恐れもある。
【００１１】
また、接続を許可する通信端末には、例えば一般参加者用の通信端末と、主催者側の通信端末とがある。主催者側の通信端末には、ある程度の権限を与えられているため、無線通信機能を有するプロジェクタは、これを区別して認識することが必要となる。
【００１２】
しかしながら、プロジェクタなどの表示装置においては、一般参加者用の通信端末と、主催者側の通信端末との区別ができる技術を有しておらず、主催者側の通信端末に格納されている情報などが、該表示装置を介して一般参加者用の通信端末に取り込まれてしまう恐れもある。
【００１３】
本発明の目的は、簡単な接続操作により、画像表示装置に接続される通信端末を認識し、情報の漏洩を防止することのできる技術を提供することにある。
【００１４】
本発明の前記ならびにその他の目的と新規な特徴については、本明細書の記述および添付図面から明らかになるであろう。
【課題を解決するための手段】
【００１５】
本願において開示される発明のうち、代表的なものの概要を簡単に説明すれば、次のとおりである。
【００１６】
すなわち、代表的な表示装置は、第１端末装置および該第１端末装置よりも使用機能が制限される第２端末装置との無線接続がそれぞれ可能な装置である。この表示装置は、表示部、通信部、および制御部を備える。表示部は、画像を表示する。通信部は、第１端末装置および第２端末装置との無線接続を行う。管理制御部は、第１端末装置および第２端末装置との無線接続を管理する。
【００１７】
管理制御部は、第１端末装置から送信される指定された第２端末装置の接続を許可する接続情報に基づいて、第２端末装置と表示装置とを接続する端末接続用画像を生成する。表示部は、管理制御部が生成した端末接続用画像を表示する。
【００１８】
特に、管理制御部は前記通信部と前記第１端末装置とが通信を開始する場合には、前記端末接続用画像の生成および表示を含む処理とは異なる処理を行う。
【００１９】
さらに、代表的な表示装置は、現在日時の情報を出力する時計部を有する。管理制御部は、端末接続用画像を生成する際に、時計部から現在日時の情報を取得し、取得した現在日時の情報を端末接続用画像に付加する。
【発明の効果】
【００２０】
本願において開示される発明のうち、代表的なものによって得られる効果を簡単に説明すれば以下のとおりである。
【００２１】
ユーザの利便性を向上させることができる。
【図面の簡単な説明】
【００２２】
【図１】実施の形態１による映像表示システムにおける構成の一例を示すブロック図である。
【図２】図１の映像表示システムにおける動作の一例を示すフローチャートである。
【図３】図２に続くフローチャートである。
【図４】図１の第１端末装置における構成の一例を示すブロック図である。
【図５】図４の第１端末装置による動作処理の一例を示すフローチャートである。
【図６】図１の第２端末装置の動作処理の一例を示すフローチャートである。
【図７】実施の形態２による映像表示システムにおける構成の一例を示すブロック図である。
【図８】図７の映像表示システムによる認識接続処理の一例を示すフローチャートである。
【図９】実施の形態３による映像表示システムにおける認識接続処理の一例を示すフローチャートである。
【図１０】図９に続くフローチャートである。
【図１１】実施の形態４による映像表示システムにおける構成の一例を示す説明図である。
【図１２】図１１の映像表示システムによる認識接続処理の一例を示すフローチャートである。
【図１３】図１２に続くフローチャートである。
【図１４】図１２のステップＳ６０９の処理により表示投影部が投影する情報付き画像の一例を示す説明図である。
【発明を実施するための形態】
【００２３】
以下の実施の形態においては便宜上その必要があるときは、複数のセクションまたは実施の形態に分割して説明するが、特に明示した場合を除き、それらはお互いに無関係なものではなく、一方は他方の一部または全部の変形例、詳細、補足説明等の関係にある。
【００２４】
また、以下の実施の形態において、要素の数等（個数、数値、量、範囲等を含む）に言及する場合、特に明示した場合および原理的に明らかに特定の数に限定される場合等を除き、その特定の数に限定されるものではなく、特定の数以上でも以下でもよい。
【００２５】
さらに、以下の実施の形態において、その構成要素（要素ステップ等も含む）は、特に明示した場合および原理的に明らかに必須であると考えられる場合等を除き、必ずしも必須のものではないことは言うまでもない。
【００２６】
同様に、以下の実施の形態において、構成要素等の形状、位置関係等に言及するときは特に明示した場合および原理的に明らかにそうではないと考えられる場合等を除き、実質的にその形状等に近似または類似するもの等を含むものとする。このことは、上記数値および範囲についても同様である。また、実施の形態を説明するための全図において、同一の部材には原則として同一の符号を付し、その繰り返しの説明は省略する。
【００２７】
以下、実施の形態を詳細に説明する。
【００２８】
（実施の形態１）
〈映像表示システムの構成例１〉
図１は、本実施の形態１による映像表示システム１における構成の一例を示すブロック図である。
【００２９】
映像表示システム１は、通信機能を有する表示装置であり、例えばプロジェクタである。表示装置である映像表示システム１は、図１に示すように、第１端末装置２および第２端末装置３がそれぞれ接続される。第１端末装置２および第２端末装置３は、映像表示システム１が表示する画像を送信する。これら第１端末装置２および第２端末装置は、例えば無線ＬＡＮなどの無線通信によって接続される。
【００３０】
第１端末装置２は、映像表示システム１の機能を最も多く使用することのできる権限を有するものである。第２端末装置３は、第１端末装置２よりも権限が少なく、すなわち使用することのできる機能が少ない端末である。
【００３１】
なお、図１では、第１端末装置２および第２端末装置が、それぞれ１台の場合ついて示しているが、これら第１端末装置２および第２端末装置は、それぞれ複数台を有する構成であってもよい。
【００３２】
映像表示システム１は、通信部４、制御部７、識別情報入力部１０、接続制御画像生成部１１、通信画像選択部１２、信号処理部１３、表示画像選択部１４、記憶部１５、および表示投影部１６を有する。
【００３３】
通信部４は、第１端末装置２および第２端末装置３との通信を行う。通信部４による通信は、上述したように、例えば無線ＬＡＮなどの無線通信である。この通信部４は、第１端末用通信部５および第２端末用通信部６を備える。
【００３４】
第１端末用通信部５は、第１端末装置２との通信を行うとともに、通信画像選択部１２および記憶部１５の動作制御を行う。第２端末用通信部６は、第２端末装置３との通信を行い、通信によって得られた画像を出力する。
【００３５】
識別情報入力部１０は、第１端末装置２を認識する識別情報を入力する。この識別情報入力部１０は、例えばキーボードなどからなり、識別情報となるパスワードなどを入力する。また、識別情報としては、パスワード以外であってもよく、例えば指紋認証などであってもよい。その場合、識別情報入力部１０は、指紋認証装置などから構成される。
【００３６】
制御部７は、第２接続管理制御部８および第１接続管理制御部９から構成されている。第２接続管理制御部８は、第１端末用通信部５から出力される情報に基づいて、第２端末用通信部６および接続制御画像生成部１１をそれぞれ制御する。
【００３７】
具体的には、第１端末用通信部５から受け取った情報に基づいて、第２端末装置３を限定して接続するように第２端末用通信部６に命令を出し、さらに接続制御画像生成部１１に接続するための情報を付けた画像の生成命令を出す。また、制御部７および接続制御画像生成部１１によって管理制御部が構成される。
【００３８】
接続制御画像生成部１１は、第２接続管理制御部８から受け取った情報により、第２端末装置３の接続を簡単に行うために第２端末装置３の限定情報などが盛り込まれた画像を生成する。ここで、接続制御画像生成部１１が生成する画像は、例えばＱＲ（Quick Response）コードなどの情報付きの画像である。
【００３９】
通信画像選択部１２は、第１端末用通信部５から出力される選択信号に基づいて、第１端末用通信部５または第２端末用通信部６から出力される画像を選択する。信号処理部１３は、通信画像選択部１２から出力される出力信号の信号処理を行い、画像データに変換する。
【００４０】
表示画像選択部１４は、第１端末用通信部５から出力される選択信号に基づいて、信号処理部１３または接続制御画像生成部１１のいずれかから出力される画像を選択する。記憶部１５は、第１端末用通信部５の通信結果を記憶する。この記憶部１５は、第１端末用通信部５の制御によってリード／ライトが制御される。表示部となる表示投影部１６は、表示画像選択部１４から出力される画像を投影する。
【００４１】
なお、ここでは、映像表示システム１としてプロジェクタを例に挙げたが、該映像表示システム１は、プロジェクタ以外からなる構成であってもよい。例えば映像表示システムは、液晶表示装置などであってもよい。
【００４２】
そのとき、図１の構成のうち、表示投影部１６を液晶パネルなどの表示パネルを用いた表示部に置き換えることで、液晶表示装置の映像表示システム１を実現することができる。
【００４３】
続いて、図１の映像表示システム１における接続について説明する。
【００４４】
識別情報入力部１０の出力部は、第１接続管理制御部９の入力部に接続されており、第１接続管理制御部９の出力部は、第１端末用通信部５の入力部に接続されている。
【００４５】
第２接続管理制御部８は、２つの出力部を有しており、一方の出力部には、第２端末用通信部６の入力部が接続されており、他方の出力部には、接続制御画像生成部１１の入力部が接続されている。
【００４６】
第２端末用通信部６の出力部は、通信画像選択部１２の一方の入力部に接続されている。第１端末用通信部５の出力部は、記憶部１５の入力部、通信画像選択部１２の他方の入力部、第２接続管理制御部８の入力部、表示画像選択部１４の制御端子、および通信画像選択部１２の制御端子にそれぞれ接続されている。
【００４７】
記憶部１５の出力部は、第１端末用通信部５および第２端末用通信部６の入力部にそれぞれ接続されている。通信画像選択部１２の出力部は、信号処理部１３の入力部に接続されており、該信号処理部１３の出力部には、表示画像選択部１４の一方の入力部が接続されている。
【００４８】
接続制御画像生成部１１の出力部には、表示画像選択部１４の他方の入力部が接続されており、表示画像選択部１４の出力部には、表示投影部１６の入力部が接続されている。また、第１端末装置２は、無線通信によって第１端末用通信部５とデータを送受信し、第２端末装置３は、無線通信によって第２端末用通信部６とデータを送受信する。
【００４９】
続いて、図１の映像表示システム１の動作について説明する。
【００５０】
〈映像表示システムの動作例〉
図２は、図１の映像表示システム１における動作の一例を示すフローチャートであり、図３は、図２に続くフローチャートである。これら図２および図３は、映像表示システム１による第１端末装置２および第２端末装置３をそれぞれ認識して接続する認識接続処理の一例を示している。
【００５１】
まず、映像表示システム１に第１端末装置２を認識させるパスワードを入力する（ステップＳ１０１）。このパスワードの入力は、識別情報入力部１０から、第１端末装置２のユーザがパスワードなどを入力する。パスワードは、前述したようにパスワードに限らず、指紋認証などの別の識別情報を認証するようにしてもよい。
【００５２】
パスワードが入力されると、第１接続管理制御部９は、予め登録されているパスワードを検索して、入力されたパスワードと一致しているか否かを判定し（ステップＳ１０２）、一致している場合には、一致したパスワードに対応する第１端末装置２を検出する。また、パスワードが不一致の場合には、ステップＳ１０１の処理に戻る。
【００５３】
ここで、予め登録されているパスワードは、例えば第１接続管理制御部９の図示しないメモリなどに格納されている。あるいは記憶部１５に格納するようにしてもよい。
【００５４】
登録されているパスワードは、１つのパスワードに１台の第１接続管理制御部９がそれぞれ紐付けられている。よって、登録されているパスワードから、入力されたパスワードと一致するものを検出することにより、映像表示システム１と接続したい第１端末装置２を認識することができる。
【００５５】
その後、第１接続管理制御部９は、検出した第１端末装置２と第１端末用通信部５を通して通信を行う（ステップＳ１０３）。この通信において、第１端末装置２は、映像表示システム１にデータを送信する（ステップＳ１０４）。このデータは、投影したい画像やＵＲＬ（Uniform Resource Locator）または端末接続許可情報である。
【００５６】
端末接続許可情報は、映像表示システム１に接続が許可される第２端末装置３を指定する情報である。第２端末装置３には、例えばユニークな識別番号などが予め付与されており、この識別番号を端末接続許可情報として送信する。
【００５７】
映像表示システム１は、第１端末装置２から送信されたデータが、投影したい画像やＵＲＬであるかまたは端末識別許可情報であるかを判断する（ステップＳ１０５）。ここでは、認識接続処理であるので、端末識別許可情報が送信される。
【００５８】
送信されたデータが映像表示システム１に投影したい画像やＵＲＬなどの場合、第１端末用通信部５は、通信画像選択部１２および表示画像選択部１４にそれぞれ選択信号を出力する。
【００５９】
これにより、通信画像選択部１２は、第１端末用通信部５が受信した投影したい画像やＵＲＬを信号処理部１３に出力するように接続を行う。表示画像選択部１４は、信号処理部１３の信号処理によって生成された画像を表示投影部１６に出力するように接続を行う。これによって、第１端末装置２から送信された画像などを表示投影部１６に出力するルートが確定して、該表示投影部１６によって画像が表示される（ステップＳ１０６）。
【００６０】
なお、ステップＳ１０４の処理において、第１端末装置２からＵＲＬが送信された場合、第１端末用通信部５は、無線ＬＡＮからインターネットを介して該ＵＲＬにアクセスし、ステップＳ１０６の処理にてアクセスしたホームページを表示投影部１６に出力して表示させる。
【００６１】
一方、ステップＳ１０５の処理において、送信されたデータが端末識別許可情報であると判断した場合、第１端末用通信部５は、端末識別許可情報を第２接続管理制御部８に出力する。
【００６２】
第２接続管理制御部８は、端末識別許可情報を接続制御画像生成部１１に出力するとともに、接続制御画像生成部１１に対して接続情報付き画像を生成する命令を出力する（ステップＳ１０７）。
【００６３】
これを受けて接続制御画像生成部１１は、図３において、接続情報付き画像を生成する（ステップＳ１０８）。この接続情報付き画像は、端末識別許可情報により映像表示システム１に接続が許可されている第２端末装置３を示す画像であり、例えばＱＲコードなどによって表示される。
【００６４】
また、第１端末用通信部５は、表示画像選択部１４に選択信号を出力する。これにより、表示画像選択部１４は、接続制御画像生成部１１が生成した接続情報付き画像を表示投影部１６に出力するように接続を行う。
【００６５】
接続制御画像生成部１１が生成した情報付き画像は、表示画像選択部１４を通して表示投影部１６にて投影される（ステップＳ１０９）。
【００６６】
続いて、第２端末装置３は、該第２端末装置３が具備している図４に示すカメラなどの撮像部５０にて、表示投影部１６にて投影されている接続情報付き画像、すなわちＱＲコードを撮影することにより、映像表示システム１に接続する情報を得る（ステップＳ１１０）。
【００６７】
第２端末装置３は、ステップＳ１１０の処理にて得られたＱＲコードをデコードし、このデコードによって得られた情報を第２端末用通信部６に送信する（ステップＳ１１１）。このデコード結果には、前述した第２端末装置３に付与されている識別番号が含まれている。
【００６８】
第２端末用通信部６は、第２端末用通信部６から送信されたデコード結果とステップＳ１０４の処理にて受け取った端末接続許可情報とが一致しているか否かの比較を行う（ステップＳ１１２）。これは、言い換えれば、第２端末装置３から送信された識別番号が端末接続許可情報に含まれているか否かを判定する。
【００６９】
デコード結果とステップＳ１０４の処理にて受け取った端末接続許可情報とが一致している場合（ステップＳ１１３）、第２端末用通信部６は、第２端末装置３との通信を許可する。一致していない場合には、通信を許可せずにステップＳ１１０の処理に戻る。
【００７０】
これにより、第２端末装置３は、第２端末用通信部６に画像や情報などを送信する（ステップＳ１１４）。また、一致していない場合には、ステップＳ１１０の処理に戻る。
【００７１】
続いて、第１端末装置２は、ステップＳ１１３の判定結果、すなわちデコード結果とステップＳ１０４の処理にて受け取った端末接続許可情報とが一致しているとの判定に基づいて、第２端末装置３から送信された画像を投影できるように、通信画像選択部１２および表示画像選択部１４にそれぞれ選択信号を出力する。
【００７２】
これにより、通信画像選択部１２は、第２端末用通信部６が受信した画像を信号処理部１３に出力するように接続し、表示画像選択部１４は、信号処理部１３の信号処理によって生成された画像を表示投影部１６に出力するように接続する。その結果、第２端末装置３から送信された所望の画像が投影される（ステップＳ１１５）。
【００７３】
続いて、第１端末装置２が送信する画像や情報などを第２端末装置３に表示させたい場合には、以下のステップＳ１１６，Ｓ１１７の処理を行う。
【００７４】
まず、第１端末装置２は、第１端末用通信部５との通信により、接続している第２端末装置３に転送したい画像や情報などを送信する。第１端末用通信部５は、第１端末用通信部５から転送したい画像や情報などを受け取ると、記憶部１５にアクセスして受け取った画像や情報など該記憶部１５に格納する（ステップＳ１１６）。
【００７５】
続いて、第１端末用通信部５は、記憶部１５から、格納された画像や情報などを読み出し、読み出した画像や情報などを第２端末用通信部６に出力する。第２端末用通信部６は、読み出した画像や情報などを第２端末装置３に送信する（ステップＳ１１７）。その後、図２のステップＳ１０４の処理に戻り、第１端末装置２からの新たなデータの転送を待つ。
【００７６】
以上により、映像表示システム１による動作処理が終了となる。
【００７７】
なお、第２端末装置３は、ステップＳ１１０の処理において、投影された情報付き画像を撮像部５０にて取得した際に、該情報付き画像に含まれる無線通信が許可される第２端末装置３の識別番号と第２端末装置３に予め付与されている識別番号とを比較するようにしてもよい。そして、一致している場合には、ステップＳ１１１の処理に進み、一致していない場合には、そのまま無線接続処理を終了するようにしてもよい。
【００７８】
次に、第１端末装置２における構成およびその動作について、図４および図５を用いて説明する。
【００７９】
〈第１端末装置の構成例〉
図４は、図１の第１端末装置２における構成の一例を示すブロック図である。なお、図４では、第１端末装置２の構成例について示しているが、図１の第２端末装置３についても図４と同様となっている。
【００８０】
第１端末装置２は、図４に示すように、動作指示入力部４５、マイコン４６、記憶部４７、表示部４８、表示画像選択部４９、撮像部５０、および送受信部５１を有する構成からなる。
【００８１】
動作指示入力部４５は、第１端末装置２の動作を選択して指示する。マイコン４６は、例えばＣＰＵなどからなり、第１端末装置２の制御を司る。記憶部４７は、マイコン４６の制御によって画像や各種の情報などを記憶し、読み出しを行う。
【００８２】
表示部４８は、ディスプレイなどからなり、画像や情報などを表示する。表示画像選択部４９は、表示部４８に表示する画像や情報を映像表示システム１から受信したもの、またはマイコン４６から出力されたものから選択する。撮像部５０は、例えばカメラからなり、写真を撮影する。送受信部５１は、映像表示システム１との送受信を行う。
【００８３】
続いて、第１端末装置２の各ブロックにおける接続について説明する。
【００８４】
マイコン４６には、動作指示入力部４５、記憶部４７、撮像部５０、および送受信部５１から出力される信号が入力される。また、マイコン４６には、記憶部４７、撮像部５０、送受信部５１、および表示画像選択部４９がそれぞれ接続されている。
【００８５】
記憶部４７は、マイコン４６の制御によって読み出し／書き込み動作が制御され、撮像部５０においても、同様にマイコン４６の制御によって画像の撮影などが行われる。送受信部５１の動作についても、マイコン４６が制御する。
【００８６】
表示画像選択部４９の制御端子には、マイコン４６から出力される選択信号が入力される。表示画像選択部４９は、マイコン４６から出力される選択信号に基づいて、マイコン４６または送受信部５１から出力される画像や情報のいずれかを選択して表示部４８に出力するように選択する。
【００８７】
〈第１端末装置の動作例〉
続いて、第１端末装置２の動作について説明する。
【００８８】
図５は、図４の第１端末装置２による動作処理の一例を示すフローチャートである。この図５は、図２および図３に示した映像表示システム１による認識接続処理の際における第１端末装置２の動作処理例について示している。
【００８９】
まず、送受信部５１が、映像表示システム１の第１端末用通信部５から送信された通信許可を意味する通信許可信号を受信すると（ステップＳ２０１）、マイコン４６は、表示画像選択部４９に動作リストを表示させてユーザからの指示入力を待つ（ステップＳ２０２）。
【００９０】
ユーザは、表示部４８に表示された動作リストを見ながら、動作指示入力部４５からマイコン４６に指示を与える（ステップＳ２０３）。
【００９１】
ここで、動作リストによる指示は、例えば第１の指示から第３の指示があるものとする。第１の指示は、第１端末装置２に格納されている画像やファイルなどを映像表示システム１へ転送する指示であり、第２の指示は、映像表示システム１への動作指示であり、且つ、第２端末装置３の接続を指示するものである。第３の指示は、映像表示システム１への動作指示である。
【００９２】
ステップＳ２０３の処理において、ユーザからの指示が、第１の指示であった場合（ステップＳ２０４）、マイコン４６は、記憶部４７から転送したい画像やＵＲＬ、ファイルなどを読み出すように命令を出す（ステップＳ２０５）。その後、読み出した画像やＵＲＬ、ファイルなどを送受信部５１を通して映像表示システム１に送信する（ステップＳ２０９）。
【００９３】
ユーザからの指示が、第２の指示であった場合（ステップＳ２０６）、マイコン４６は、記憶部４７に予め記憶させてある第２端末装置３のリストから接続させたい端末を選択し（ステップＳ２０７）、その選択結果を送受信部５１を通して映像表示システム１に送信する（ステップＳ２０９）。
【００９４】
また、ユーザからの指示が第３の指示である場合（ステップＳ２０６）、マイコン４６は、記憶部４７に予め記憶させてある動作設定リストから設定するパラメータを選択する（ステップＳ２０８）。そして、その選択結果を送受信部５１を通して映像表示システム１に送信する（ステップＳ２０９）。
【００９５】
以上により、第１端末装置２の動作処理が終了となる。
【００９６】
〈第２端末装置３の動作例〉
次に、第２端末装置３の動作処理について説明する。
【００９７】
図６は、図１の第２端末装置３の動作処理の一例を示すフローチャートである。この図６では、図２および図３に示した映像表示システム１による認識接続処理の際における第２端末装置３の動作処理例について示している。
【００９８】
なお、第２端末装置３における構成は、図４に示した第１端末装置２と同様の構成であるので、図６のフローチャートの説明では、図４のブロック図を参照して説明する。
【００９９】
まず、ユーザは、映像表示システム１が投影しているＱＲコードなどの接続情報付き画像を撮像部５０にて撮影する指示を動作指示入力部４５から出す（ステップＳ３０１）。
【０１００】
マイコン４６は、撮影した画像から接続情報を抽出する（ステップＳ３０２）。ここで、接続情報の抽出処理は、例えば、マイコン４６の図示しないメモリなどに予め搭載されているソフトウェアによって実行される。
【０１０１】
そして、送受信部５１は、マイコン４６が抽出して得た接続情報を映像表示システム１に送信し、映像表示システム１との通信の許可を意味する映像許可情報を受信する（ステップＳ３０３）。
【０１０２】
続いて、マイコン４６は、映像表示システム１から送られてくる情報に従い（ステップＳ３０４）、記憶部４７から指定された画像や、情報を読み出す命令を読み出す（ステップＳ３０５）。
【０１０３】
送受信部５１は、読み出した画像や情報と、マイコン４６が出力する第２端末装置３の現在の動作状況を示す動作情報を映像表示システム１に送信する（ステップＳ３０６）。これにより、第２端末装置３の処理が終了する。
【０１０４】
以上の動作により、第１端末装置２と第２端末装置３とを区別して接続許可を出すことが可能となり、その結果、より多くの権限を持たせている第１端末装置２の誤認識などを低減することができる。
【０１０５】
また、第２端末装置３では、映像表示システム１から投影した画像を撮影することで接続許可を受け、第２端末用通信部６にて照合した後に接続されることになるので、映像表示システム１との接続が簡単となる。
【０１０６】
しかも、接続できる第２端末装置３を限定することができる。これは、第１端末装置２の第２端末用通信部６から第２端末装置３へ情報を送信したときの受信許可にも用いることができる。これによって、意図しない第２端末装置３に接続されてしまうことを防止することができ、情報漏洩などを防止することができる。
【０１０７】
（実施の形態２）
〈映像表示システムの構成例２〉
図７は、本実施の形態２による映像表示システム１における構成の一例を示すブロック図である。
【０１０８】
図７の映像表示システム１において、前記実施の形態１の図１の映像表示システム１と異なるところは、記憶部１７および時計部１８を新たに設けた点である。記憶部１７および時計部１８は、第２接続管理制御部８にそれぞれ接続されている。
【０１０９】
記憶部１７は、第１端末装置２と第１端末用通信部５との通信にて得た接続用情報を記憶する。時計部１８は、現在日時である時刻情報を出力し、接続用情報に現在時刻を付加する際に第２接続管理制御部８が取得する。また、第２接続管理制御部８は、記憶部１７における情報の読み出し／書き込みなどを行うと共に、時計部１８から時刻情報を取得する。
【０１１０】
図７の映像表示システム１において、その他の接続構成については、前記実施の形態１の図１と同様であるので、説明は省略する。
【０１１１】
〈映像表示システムの動作例〉
図８は、図７の映像表示システム１による認識接続処理の一例を示すフローチャートである。
【０１１２】
なお、図８に示すフローチャートは、前記実施の形態１の図２に示すステップＳ１０７の処理が終了した後の処理を示したものである。
【０１１３】
まず、第１端末装置２は、今から行われる会議名や授業名など表題を記憶させる命令を送信する。第２接続管理制御部８は、これを受けて表題を記憶部１７に記憶させる（ステップＳ４０１）。
【０１１４】
続いて、第２接続管理制御部８は、記憶部１７から表題の情報を取得するとともに、時計部１８から現在時刻を取得する。そして、第２接続管理制御部８は、接続制御画像生成部１１に対して、取得したそれらの情報を有する情報付き画像を生成するように命令を出す（ステップＳ４０２）。
【０１１５】
接続制御画像生成部１１が情報付き画像を生成すると（ステップＳ４０３）、第１端末用通信部５は、表示画像選択部１４に選択信号を出力する。これにより、表示画像選択部１４は、接続制御画像生成部１１が生成したＱＲコードなどの接続情報付き画像を表示投影部１６に出力するように接続を行う。接続制御画像生成部１１が生成した情報付き画像は、表示画像選択部１４を通して表示投影部１６にて投影される（ステップＳ４０４）。
【０１１６】
第２端末装置３は、搭載している撮像部５０にて、投影された情報付き画像を撮影して映像表示システム１に接続する情報を得る（ステップＳ４０５）。
【０１１７】
第２端末装置３は、ステップＳ４０５の処理にて得られた情報付き画像をデコードし、このデコードによって得られた情報を第２端末用通信部６に送信する（ステップＳ４０６）。
【０１１８】
第２端末用通信部６は、第２端末装置３から受け取ったデコード結果と図２のステップＳ１０４の処理にて受け取った端末接続許可情報とが一致しているかの比較を行う（ステップＳ４０７）。
【０１１９】
デコード結果と端末接続許可情報とが一致している場合（ステップＳ４０８）、第２端末用通信部６は、第２端末装置３との通信を許可する。これにより、第２端末装置３は、第２端末用通信部６に画像などの情報を送信する（ステップＳ４０９）。
【０１２０】
また、第２端末用通信部６は、受け取った画像などを信号処理部１３を介して表示投影部１６に出力し、所望の画像が投影される（ステップＳ４１０）。この場合も、第１端末用通信部５は、第２端末装置３から送信された画像を投影できるように、通信画像選択部１２および表示画像選択部１４にそれぞれ選択信号を出力する。
【０１２１】
このとき第２端末装置３には、参加した会議名や授業名などの表題、そのときの時刻も一緒に送られる。この情報を用いれば第２端末装置３のユーザが、いつ、どのような会議、授業に参加したかなどが簡単に分かるようになる。また、一致していない場合には（ステップＳ４０８）、ステップＳ４０５の処理に戻る。その他の動作処理については、図１の実施例と同様である。
【０１２２】
以上により、前記実施の形態１の効果に加えて、それぞれの第２端末装置３がいつ、どのような会議、授業などに参加したかなどを簡単に管理することができる。
【０１２３】
また、予め自分が出席する会議、授業の予定を第２端末装置３に入力させておくことで、この会議、授業に出席予定登録のない第２端末装置３には接続を不可とし、予定にないことを告げることができる。それにより、利便性を向上させることができる。
【０１２４】
さらに、出席予定登録のない第２端末装置３を接続しようとしていることを、第１端末装置２に連絡することによって、第２端末装置３の不正参加を発見することができるという効果もある。
【０１２５】
なお、本実施の形態２においても、映像表示システム１は、前記実施の形態１と同様に、プロジェクタ以外であってもよく、表示投影部１６は、液晶パネルなどの表示パネルを用いた表示投影部１６によって置き換えることが可能である。
【０１２６】
（実施の形態３）
〈映像表示システムの構成例３〉
本実施の形態３において、前記実施の形態１の図１の映像表示システム１と異なる点は、第２端末用通信部６および信号処理部１３にそれぞれ新たな機能が追加されている点である。
【０１２７】
第２端末用通信部６では、第２端末装置３の動作状況を示す情報である動作情報を出力する機能が追加されており、信号処理部１３では、第２端末用通信部６が出力した動作情報と通信画像選択部１２から出力される出力情報とを合成する機能を有している。
【０１２８】
その他の接続構成については、図１の映像表示システム１と同様であるので、説明は省略する。
【０１２９】
〈映像表示システムの動作例〉
図９は、本実施の形態３による映像表示システム１における認識接続処理の一例を示すフローチャートである。また、図１０は、図９に続くフローチャートである。
【０１３０】
なお、図９に示すフローチャートは、前記実施の形態１の図２に示すステップＳ１０７の処理が終了した後の処理を示したものである。
【０１３１】
また、図９に示すステップＳ５０１〜Ｓ５０６の処理については、前記実施の形態１の図３に示すステップＳ１０８〜Ｓ１１３の処理と同様であるので、説明は省略する。
【０１３２】
ステップＳ５０６の処理において、第２端末装置３と第２端末用通信部６との通信が確立すると、第２端末装置３は、第２端末用通信部６に動作情報を送信する（ステップＳ５０７）。
【０１３３】
ここで、動作情報は、動作中の第２端末装置３における動作状態、すなわち第２端末装置３における現在のステータスを知らせる情報であり、例えば第２端末装置３が使用しているアプリケーションやインターネットなどにアクセスしているＵＲＬなどの情報などからなる。
【０１３４】
そして、第１端末装置２は、動作許可情報となる動作許可リストを第１端末用通信部５に送信する（ステップＳ５０８）。動作許可リストは、第２端末装置３が使用することのできるアプリケーションや接続が許可されるＵＲＬなどの情報であり、言い換えると第２端末装置３において許可されているステータスを示している。
【０１３５】
この動作許可リストは、前述のように第１端末装置２から送信される。第１端末装置２は、受信した動作許可リストを第２端末用通信部６に出力する。第２端末用通信部６は、例えば該第２端末用通信部６に設けられた図示しないメモリ（情報格納部）などに動作許可リストを格納する。あるいは、記憶部１５に格納するようにしてもよい。なお、このステップＳ５０８の処理は、ステップＳ５０７の処理以前であれば、どのタイミングもあってもよい。
【０１３６】
続いて、第２端末用通信部６は、受信した動作情報と前述したメモリなどに格納した動作許可リストとを比較する（ステップＳ５０９）。
【０１３７】
その結果、動作情報が該動作許可リストに合致していないものがある場合には（ステップＳ５１０）、動作情報に動作許可リストに合致していないものがあることを知らせる不一致信号を出力する。
【０１３８】
例えば、動作情報としてアプリケーションＡが第２端末装置３から送信された場合、第２端末用通信部６は、第２端末装置３が使用中のアプリケーションＡが動作許可リストにあるか否かを検索する。その結果、動作許可リストにアプリケーションＡがない場合には、不一致信号が第２端末用通信部６から信号処理部１３に出力される。
【０１３９】
そして、不一致信号を受け取った信号処理部１３は、現在投影している画像に、不一致を知らせる画像を合成して表示投影部１６に出力し（ステップＳ５１１）、現在投影している画像と不一致を知らせる画像とを表示させる（ステップＳ５１２）。
【０１４０】
また、動作情報と動作許可リストと合致している場合には（ステップＳ５１０）、第２端末装置３から送信された所望の画像を投影する（ステップＳ５１３）。
【０１４１】
以上により、前記実施の形態１の効果に加えて、第２端末装置３のユーザが、現在行われている会議、または授業などに無関係なアプリアプリケーションの使用、無関係なサイトの閲覧を発見することができる利点がある。
【０１４２】
また、第２端末用通信部６から出力される不一致信号を投影せずに、第１端末用通信部５から第１端末装置２に送信することも可能である。これによって、使用の許可されていないアプリケーションを使用している第２端末装置３あるいは閲覧が許可されていないＵＲＬのコンテンツを閲覧している第２端末装置３を、第１端末装置２に知らせることができる。
【０１４３】
なお、本実施の形態３でも、映像表示システム１は、前記実施の形態１と同様に、プロジェクタ以外であってもよく、表示投影部１６は、液晶パネルなどの表示パネルを用いた表示投影部１６によって置き換えることが可能である。
【０１４４】
（実施の形態４）
〈映像表示システムの構成例〉
図１１は、本実施の形態４による映像表示システム１における構成の一例を示す説明図である。
【０１４５】
図１１の映像表示システム１では、４台の第２端末装置３が無線通信によって接続されている。この映像表示システム１において、第２端末用通信部６は、１つの画面を分割して、それぞれの領域に異なった第２端末装置３から送信された画像を出力する機能を有している。また、第２接続管理制御部８は、複数種類の情報付き画像を作成する命令を接続制御画像生成部１１に出力する機能を有する。
【０１４６】
その他の接続構成については、前記実施の形態１の図１と同様であるので、説明は省略する。
【０１４７】
〈映像表示システムの動作例〉
続いて、映像表示システム１による認識接続処理について説明する。
【０１４８】
図１２は、図１１の映像表示システム１による認識接続処理の一例を示すフローチャートであり、図１３は、図１２に続くフローチャートである。
【０１４９】
ここでは、説明の簡略化のために表示される画面を４分割にした例について説明をするが、ほかの分割数を行ったとしても同様であることは明らかである。
【０１５０】
まず、図１２に示すステップＳ６０１〜Ｓ６０３の処理を実行する。これら処理は、前記実施の形態１の図２に示すステップＳ１０１〜Ｓ１０３の処理と同様であるので、説明を省略する。
【０１５１】
続いて、第１端末装置２は、投影したい画面を送信する第２端末装置３を指定する端末設定情報または投影したい画像やＵＲＬなどの情報のいずれかのデータを送信する（ステップＳ６０４）。ここでは、データとして４台の第２端末装置３が指定される端末設定情報が送信される。
【０１５２】
第１端末用通信部５は、受け取ったデータが、投影したい画像やＵＲＬであるかまたは端末設定情報であるかを判断する。投影したい画像やＵＲＬの場合には（ステップＳ６０５）、ステップＳ６０７の処理を実行する。このステップＳ６０７の処理は、図２のステップＳ１０６の処理と同様である。
【０１５３】
また、端末設定情報の場合（ステップＳ６０５）、第１端末用通信部５は、該端末設定情報を第２接続管理制御部８に出力する。第２接続管理制御部８は、端末設定情報に基づいて、４台の第２端末装置３の情報付き画像を作成する命令を接続制御画像生成部１１に出力する（ステップＳ６０６）。
【０１５４】
接続制御画像生成部１１は、その命令に基づいて、図１４に示す情報付き画像４１〜４４を生成する（ステップＳ６０８）。そして、情報付き画像４１〜４４が表示投影部１６によって投影される（ステップＳ６０９）。
【０１５５】
〈表示投影部が投影する情報付き画像例〉
図１４は、図１２のステップＳ６０９の処理により表示投影部１６が投影する情報付き画像の一例を示す説明図である。
【０１５６】
接続制御画像生成部１１は、図１４に示すように４つの情報付き画像４１〜４４を生成する。これら情報付き画像４１〜４４には、映像表示システム１との接続および画像の表示位置などの情報が含まれている。
【０１５７】
例えば情報付き画像４１をある第２端末装置３が撮影した場合、その第２端末装置３から送信される画像は、情報付き画像４１と同じ位置である左上方に表示されることになる。情報付き画像４２〜４４についても同様である。
【０１５８】
図１３において、各々の第２端末装置３は、撮像部５０にて表示投影部１６に投影された図１４に示す情報付き画像４１，４２，４３，４４をそれぞれ撮影し、該情報付き画像をデコードする（ステップＳ６１０）。このデコード結果は、第２端末用通信部６に送信される（ステップＳ６１１）。
【０１５９】
第２端末用通信部６は、受信したデコード結果と端末接続許可情報とが一致しているかを判定し（ステップＳ６１２）、一致している場合には（ステップＳ６１３）、第２端末用通信部６は、第２端末装置３との通信を許可する。
【０１６０】
そして、第２端末用通信部６は、接続が許可された第２端末装置３から送信された画像を時系列、あるいは同時に受信する。続いて、ステップＳ６０６の処理による第２接続管理制御部８から得た情報に基づいて、情報付き画像４１，４２，４３，４４の位置にそれぞれの第２端末装置３から送信された画像を対応させて通信画像選択部１２に出力する。（ステップＳ６１４）。
【０１６１】
また、第１端末用通信部５は、通信画像選択部１２および表示画像選択部１４に選択信号をそれぞれ出力する。これにより、第２端末用通信部６が受信した画像が信号処理部１３に出力され、信号処理部１３が信号処理して生成した画像が表示投影部１６に出力される。
【０１６２】
また、第１端末用通信部５は、通信画像選択部１２および表示画像選択部１４に選択信号をそれぞれ出力する。これによって、通信画像選択部１２は、第２端末用通信部６が受信した画像を信号処理部１３に出力する。また、表示画像選択部１４は、信号処理部１３の信号処理によって生成された画像を表示投影部１６に出力する。
【０１６３】
その結果、４台の第２端末装置３から送信された所望の画像が投影される（ステップＳ６１５）。その後、必要であれば、図３のステップＳ１１６，Ｓ１１７の処理を実行する。これによって、認識接続処理が終了となる。
【０１６４】
以上により、第１の実施例の効果に加えて、１つの画面に複数の第２端末装置３から送信された画像を投影することができる。これによって、ユーザの利便性を向上させることができる。
【０１６５】
また、すでに画像を表示する第２端末装置が決まっている領域には、接続情報を持たない画像を表示することにより、他の第２端末装置が接続できないようにすることもできる。
【０１６６】
さらに、第１端末装置２の命令によって、接続している４つの第２端末装置３のうちの１台の端末の画像または情報などを全面に表示することも可能であることは明らかである。
【０１６７】
本実施の形態４によっても、映像表示システム１は、前記実施の形態１と同様に、プロジェクタ以外であってもよく、表示投影部１６は、液晶パネルなどの表示パネルを用いた表示投影部１６によって置き換えることが可能である。
【０１６８】
以上、本発明者によってなされた発明を実施の形態に基づき具体的に説明したが、本発明は前記実施の形態に限定されるものではなく、その要旨を逸脱しない範囲で種々変更可能であることはいうまでもない。
【０１６９】
なお、上記の実施の形態は、本発明を分かりやすく説明するために詳細に説明したものであり、必ずしも説明した全ての構成を備えるものに限定されるものではない。また、各実施の形態の構成の一部について、他の構成の追加・削除・置換をすることが可能である。また、上記の各構成、機能、処理部、処理手段等は、それらの一部又は全部を、例えば集積回路で設計する等によりハードウェアで実現しても良い。
【０１７０】
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【０１７１】
１  映像表示システム
２  第１端末装置
３  第２端末装置
４  通信部
５  第１端末用通信部
６  第２端末用通信部
７  制御部
８  第２接続管理制御部
９  第１接続管理制御部
１０  識別情報入力部
１１  接続制御画像生成部
１２  通信画像選択部
１３  信号処理部
１４  表示画像選択部
１５  記憶部
１６  表示投影部
１７  記憶部
１８  時計部
４５  動作指示入力部
４６  マイコン
４７  記憶部
４８  表示部
４９  表示画像選択部
５０  撮像部
５１  送受信部
【図１】
2018139114.tif 000003
【図２】
2018139114.tif 000004
【図３】
2018139114.tif 000005
【図４】
2018139114.tif 000006
【図５】
2018139114.tif 000007
【図６】
2018139114.tif 000008
【図７】
2018139114.tif 000009
【図８】
2018139114.tif 000010
【図９】
2018139114.tif 000011
【図１０】
2018139114.tif 000012
【図１１】
2018139114.tif 000013
【図１２】
2018139114.tif 000014
【図１３】
2018139114.tif 000015
【図１４】
2018139114.tif 000016